(57)【特許請求の範囲】
【請求項１】
第１周波数帯域で放送される番組を受信する第１受信手段と、
第２周波数帯域で送信される番組を受信する第２受信手段と、
上記第１受信手段で受信可能な番組を所定の出力手段から出力している状態で、出力している番組を上記第１受信手段で受信できなくなった場合、出力していた番組と同一の番組であって上記第２受信手段で受信した番組を上記出力手段から出力するよう切り換える切換手段と、
上記切換手段により切り換えた番組を出力している状態で、他の番組に切り替える操作が行われた場合、上記第１受信手段で受信可能な上記操作に応じた番組を上記出力手段から出力するよう強制的に戻す復帰手段と
を具えるラジオ受信装置。
【請求項２】
上記復帰手段は、
他の番組を検索する操作が行われた場合、上記切換手段により切り換えられる以前に出力していた番組とは異なり、上記第１受信手段で受信可能な他の番組を上記出力手段から出力する
請求項１に記載のラジオ受信装置。
【請求項３】
上記第１受信手段は、上記第１周波数帯域としてのＤＡＢ（Digital Audio Broadcasting）帯域で送信される信号としてのＤＡＢ信号を受信し、
上記第２受信手段は、上記第２周波数帯域としてのＦＭ（Frequency Modulation）放送帯域で送信されるＦＭ放送信号を受信する
請求項１に記載のラジオ受信装置。
【請求項４】
第１周波数帯域で放送される番組を第１受信手段によって受信する第１受信ステップと、
第２周波数帯域で送信される番組を第２受信手段によって受信する第２受信ステップと、
上記第１受信手段で受信可能な番組を所定の出力手段から出力している状態で、出力している番組を上記第１受信手段で受信できなくなった場合、出力していた番組と同一の番組であって上記第２受信手段で受信した番組を上記出力手段から出力するよう切換手段により切り換える切換ステップと、
上記切換手段により切り換えた番組を出力している状態で、他の番組に切り替える操作が行われた場合、上記第１受信手段で受信可能な上記操作に応じた番組を上記出力手段から出力するよう復帰手段により強制的に戻す復帰ステップと
を具える出力復帰方法。
【発明の詳細な説明】
【技術分野】
【０００１】
本発明は、ラジオ受信装置及び出力復帰方法に関し、例えば同一内容の番組を放送するデジタル音声放送（以下、これをＤＡＢ（Digital Audio Broadcasting）と呼ぶ。）、及びＦＭ放送を受信し、ユーザに対してＤＡＢ及びＦＭ放送の番組を聴取させるカーオーディオ装置に適用して好適なものである。
【背景技術】
【０００２】
従来、カーオーディオ装置においては、例えばヨーロッパにおけるデジタル音声放送としてのＤＡＢ、及びアナログ放送としてのＦＭ（Frequency Modulation）放送をそれぞれ受信し、当該ＤＡＢ及びＦＭ放送の番組をユーザに対して聴取させ得るようになされているものがある。
【０００３】
ここでＤＡＢは、デジタル放送であるため高音質な番組をユーザに聴取させることができる一方、ＦＭ放送と比してトランスミッタのインフラ整備が遅れているため、そのサービスエリアが狭い。またＦＭ放送は、アナログ放送であるためＤＡＢと比して音質は劣るものの、周波数が低いため、そのサービスエリアが広い。そしてＤＡＢとＦＭ放送とは、同一内容の番組を放送する場合が多い。
【０００４】
そこでカーオーディオ装置のなかには、ＤＡＢの番組をユーザに聴取させている状態で、当該ＤＡＢが受信できなくなった場合、これまで受信していたＤＡＢと同一内容の番組が放送されているＦＭ放送を受信するよう切り換え、当該ＦＭ放送の番組をユーザに聴取させる機能（以下、これをＦＭリンク機能と呼ぶ。）を有するものがある（例えば、特許文献１参照）。
【０００５】
例えば図１に示すように、カーオーディオ装置は、ルーチンＲＴ１の開始ステップから入って次のステップＳＰ１へ移り、ユーザの指示に従ってＦＭリンク機能をオンし、次のステップＳＰ２へ移る。
【０００６】
ステップＳＰ２においてカーオーディオ装置は、放送バンドをＤＡＢバンドに設定し、ＤＡＢ帯域により放送されるＤＡＢ信号を受信すると、当該ＤＡＢ信号からユーザ所望の放送局の番組を抽出し、その番組の音声をスピーカ（図示せず）から出力することによりＤＡＢの番組をユーザに聴取させ、次のステップＳＰ３へ移る。
【０００７】
ステップＳＰ３においてカーオーディオ装置は、現在出力している番組のＤＡＢ信号が受信できるか否かを判断し、肯定結果が得られるとステップＳＰ２へ戻って引き続き番組を出力するのに対し、否定結果が得られると次のステップＳＰ４へ移る。
【０００８】
ステップＳＰ４においてカーオーディオ装置は、ＤＡＢ信号が受信できないので、放送バンドをＤＡＢバンドからＦＭ放送バンドへ切り換え、ＦＭ放送帯域で送信されるＦＭ放送信号を受信し、ステップＳＰ２において出力していた番組と同一内容の番組を当該ＦＭ放送信号から抽出し、その番組の音声をスピーカから出力することによりＦＭ放送でありながらＤＡＢのときと同一内容の番組をユーザに聴取させ、次のステップＳＰ５へ移る。
【０００９】
ここでカーオーディオ装置は、例えば当該カーオーディオ装置の前面に設けられたディスプレイ（図示せず）に対して、放送バンド、放送周波数、及び放送局名等を表示することにより、ＤＡＢ又はＦＭ放送のどちらの番組を聴取させているかユーザに対して目視確認させるようになされている。
【００１０】
しかしながら、カーオーディオ装置では、ＦＭリンク機能によりＤＡＢバンドからＦＭ放送バンドへ放送バンドを自動的に切り換えた場合、ＦＭ放送の番組を聴取していることにユーザが気付かず、当該ユーザがＤＡＢ帯域の異なる放送局で放送される他の番組を聴取するため、ディスプレイを目視確認しないままチャンネルを変更すべくシークボタン（図示せず）を押下操作する場合が考えられる。
【００１１】
この場合、ステップＳＰ５においてカーオーディオ装置は、シークボタンが押下操作されたことを認識すると、次のステップＳＰ６へ移る。
【００１２】
ステップＳＰ６においてカーオーディオ装置は、ＦＭ放送バンドへ切り換えた後なので、現在出力中の番組を放送する放送局とは異なり、ＦＭ放送帯域で受信可能な他の番組を検索し、当該検索した他の番組の音声をスピーカから出力し、次のステップＳＰ７へ移る。
【００１３】
ステップＳＰ７においてカーオーディオ装置は、ＦＭ放送の番組を聴取していることにユーザが気付いた場合、放送バンドをＦＭ放送バンドからＤＡＢバンドへ戻すための操作が当該ユーザによって行われるはずであり、例えば出力バンドを切り換えるためのモードボタン（図示せず）が押下操作されたか否かを判定する。ここで否定結果が得られると、このことはモードボタンが押下操作されていないことを表しており、このときカーオーディオ装置は、ステップＳＰ１１に移って処理を終了する。
【００１４】
これに対してステップＳＰ７において肯定結果が得られると、このことは、ユーザがＦＭ放送の番組を聴取していることに気付き、放送バンドをＦＭ放送バンドからＤＡＢバンドへ戻すためにモードボタンが押下操作されたことを表しており、このときカーオーディオ装置は、モードボタンの押下操作に応じてＦＭ放送バンドからＤＡＢバンドへ放送バンドを戻し、次のステップＳＰ８へ移る。
【００１５】
ところでカーオーディオ装置では、ＦＭ放送の番組を出力するための出力バンドとして、ＦＭ放送バンド「ＦＭ１」、「ＦＭ２」及び「ＦＭ３」のように複数の出力バンドが設けられているものがある。またカーオーディオ装置は、ＦＭ放送と同様に、ＡＭ放送及びＤＡＢに対してもＡＭ放送バンド「ＡＭ１」及び「ＡＭ２」、ＤＡＢバンド「ＤＡＢ１」、「ＤＡＢ２」及び「ＤＡＢ３」のように複数の出力バンドが設けられている。
【００１６】
因みにカーオーディオ装置は、ＦＭ放送バンド「ＦＭ１」において、ＦＭ放送帯域で放送される番組を出力することができ、任意の６つの放送局の周波数を６つのナンバーボタン（図示せず）にそれぞれ対応させて登録することができる。
【００１７】
またカーオーディオ装置は、ＦＭ放送バンド「ＦＭ２」及び「ＦＭ３」についてもＦＭ放送バンド「ＦＭ１」と同様に、ＦＭ放送帯域で放送される番組を出力することができ、任意の６つの放送局の周波数を６つのナンバーボタンにそれぞれ対応させて登録することができる。
【００１８】
さらにカーオーディオ装置は、ＡＭ放送バンド「ＡＭ１」及び「ＡＭ２」において、ヨーロッパでの長波（ＬＷ（Long Wave））放送帯域及び中波（ＭＷ（Middle Wave））放送帯域（以下、これらを合わせてＡＭ放送帯域と呼ぶ。）で放送される番組を出力することができ、ＡＭ放送バンド「ＡＭ１」及び「ＡＭ２」に対して、任意の６つの放送局の周波数を６つのナンバーボタンにそれぞれ対応させて登録することができる。
【００１９】
さらにカーオーディオ装置は、ＤＡＢバンド「ＤＡＢ１」、「ＤＡＢ２」及び「ＤＡＢ３」において、ＤＡＢ帯域で放送される番組を出力することができ、ＤＡＢバンド「ＤＡＢ１」、「ＤＡＢ２」及び「ＤＡＢ３」に対して、任意の６つの放送局の周波数を６つのナンバーボタンにそれぞれ対応させて登録することができる。
【００２０】
そしてカーオーディオ装置は、例えばＦＭ放送バンド「ＦＭ１」においてＦＭ放送の番組をスピーカを介して出力している状態でモードボタンが押下操作された場合、ＦＭ放送バンド「ＦＭ１」からＦＭ放送バンド「ＦＭ２」へ出力バンドを切り換える。
【００２１】
またカーオーディオ装置は、モードボタンが押下操作される度に、ＦＭ放送バンド「ＦＭ１」→「ＦＭ２」→「ＦＭ３」→ＡＭ放送バンド「ＡＭ１」→「ＡＭ２」→ＤＡＢバンド「ＤＡＢ１」→「ＤＡＢ２」→「ＤＡＢ３」へと出力バンドを順に切り換えるようになされている。
【００２２】
因みにカーオーディオ装置は、例えばＤＡＢバンド「ＤＡＢ３」においてＤＡＢの番組を出力している状態でモードボタンが押下操作された場合、当該ＤＡＢバンド「ＤＡＢ３」からＦＭ放送バンド「ＦＭ１」へ出力バンドを再度戻し、当該ＦＭ放送バンド「ＦＭ１」においてＦＭ放送の番組を出力する。
【００２３】
このようにカーオーディオ装置は、モードボタンの押下操作に応じて、ＦＭ放送バンド「ＦＭ１」、「ＦＭ２」、「ＦＭ３」、ＡＭ放送バンド「ＡＭ１」、「ＡＭ２」、ＤＡＢバンド「ＤＡＢ１」、「ＤＡＢ２」、「ＤＡＢ３」の順番で巡回するようになされている。
【００２４】
従ってカーオーディオ装置は、例えばＦＭ放送バンド「ＦＭ１」においてＦＭ放送の番組を出力しているときに、ＤＡＢバンド「ＤＡＢ１」へ出力バンドを戻すためには、モードボタンを５回押下操作させることにより、ＦＭ放送バンド「ＦＭ１」からＦＭ放送バンド「ＦＭ２」→「ＦＭ３」→ＡＭ放送バンド「ＡＭ１」→「ＡＭ２」を経由してＤＡＢバンド「ＤＡＢ１」へ戻すようになされている。
【００２５】
ステップＳＰ８においてカーオーディオ装置は、シークボタンが押下操作されたか否かを判断し、肯定結果が得られると、このことは放送局を変更するためにユーザによってシークボタンが押下操作されたことを表しており、このとき次のステップＳＰ９へ移る。
【００２６】
ステップＳＰ９においてカーオーディオ装置は、現在出力中の番組が放送されている放送局とは異なり、ＤＡＢ帯域で受信可能な放送局を検索し、次のステップＳＰ８へ戻る。
【００２７】
ステップＳＰ８においてカーオーディオ装置は、シークボタンが再び押下操作されたか否かを判断し、否定結果が得られると、このことはステップＳＰ９においてＤＡＢ帯域の受信可能な放送局を検索した後であるため、シークボタンが再び押下操作されていないことを表しており、次のステップＳＰ１０へ移る。
【００２８】
ステップＳＰ１０においてカーオーディオ装置は、ステップＳＰ９において設定された放送局の番組の音声をスピーカを介して出力することにより、ＤＡＢの番組をユーザに聴取させ、次のステップＳＰ１１へ移って処理を終了する。
【００２９】
このようにカーオーディオ装置は、ステップＳＰ７で示したように、ＦＭリンク機能により例えばＤＡＢバンド「ＤＡＢ１」からＦＭ放送バンド「ＦＭ１」へ自動的に放送バンドを切り換えた場合、当該ＦＭ放送バンド「ＦＭ１」からＤＡＢバンド「ＤＡＢ１」へ放送バンドを戻すためには、ユーザに対してモードボタンを複数回も押下操作させる必要がある。
【特許文献１】特開2000-236272公報
【発明の開示】
【発明が解決しようとする課題】
【００３０】
ところで上述したカーオーディオ装置では、ＦＭリンク機能がオンになっている場合、ＤＡＢ及びＦＭ放送のどちらの番組を聴取させているかについては、ユーザに対してディスプレイを目視確認させなくてはならない。このためカーオーディオ装置では、ＦＭリンク機能により例えばＤＡＢバンド「ＤＡＢ１」からＦＭ放送バンド「ＦＭ１」へ放送バンドを自動的に切り換えた後、ユーザが現在の放送バンドを目視確認しないままＤＡＢ帯域で受信可能な放送局を検索しようとして、当該ディスプレイを目視確認せずにシークボタンを押下操作したとしても、ＦＭ放送帯域の放送局を検索することになってしまうという問題があった。
【００３１】
また上述したカーオーディオ装置では、ＦＭリンク機能により例えばＤＡＢバンド「ＤＡＢ１」からＦＭ放送バンド「ＦＭ１」へ放送バンドを切り換えた後、ＦＭ放送バンド「ＦＭ１」からＤＡＢバンド「ＤＡＢ１」へ放送バンドを戻すため、ユーザに対してモードボタンを複数回も押下操作させなくてはならず、煩雑な操作を強いるという問題があった。
【００３２】
本発明は以上の点を考慮してなされたもので、ユーザに対して煩雑な操作を強いることなく、最初に聴取させていた周波数帯域の番組を聴取させ得るラジオ受信機及び出力復帰方法を提案しようとするものである。
【課題を解決するための手段】
【００３３】
かかる課題を解決するため本発明のラジオ受信装置においては、第１周波数帯域で放送される番組を受信する第１受信手段と、第２周波数帯域で送信される番組を受信する第２受信手段と、上記第１受信手段で受信可能な番組を所定の出力手段から出力している状態で、出力している番組を上記第１受信手段で受信できなくなった場合、出力していた番組と同一の番組であって上記第２受信手段で受信した番組を上記出力手段から出力するよう切り換える切換手段と、上記切換手段により切り換えた番組を出力している状態で、他の番組に切り替える操作が行われた場合、上記第１受信手段で受信可能な上記操作に応じた番組を上記出力手段から出力するよう強制的に戻す復帰手段と有する。
また本発明の出力復帰方法においては、第１周波数帯域で放送される番組を第１受信手段によって受信する第１受信ステップと、第２周波数帯域で送信される番組を第２受信手段によって受信する第２受信ステップと、上記第１受信手段で受信可能な番組を所定の出力手段から出力している状態で、出力している番組を上記第１受信手段で受信できなくなった場合、出力していた番組と同一の番組であって上記第２受信手段で受信した番組を上記出力手段から出力するよう切換手段により切り換える切換ステップと、上記切換手段により切り換えた番組を出力している状態で、他の番組に切り替える操作が行われた場合、上記第１受信手段可能な上記操作に応じた番組を上記出力手段から出力するよう復帰手段により強制的に戻す復帰ステップとを有する。
【００３４】
これにより、最初に第１放送帯域の番組を聴取させており、第１放送帯域の番組が受信できなくなって第２放送帯域の番組を聴取させた場合、他の番組に切り替える操作が操作されるだけで、第１放送帯域の受信可能な番組を出力手段から出力するよう強制的に戻すことができる。
【発明の効果】
【００３５】
本発明によれば、最初に第１放送帯域の番組を聴取させており、第１放送帯域の番組が受信できなくなって第２放送帯域の番組を聴取させた場合、他の番組に切り替える操作が操作されるだけで、第１放送帯域の受信可能な番組を出力手段から出力するよう強制的に戻すことができるので、かくしてユーザに対して煩雑な操作を強いることなく、最初に聴取させていた周波数帯域の番組を聴取させ得るラジオ受信機及び出力復帰方法を実現できる。
【発明を実施するための最良の形態】
【００３６】
以下に、図面について、本発明の一実施の形態を詳述する。
【００３７】
（１）カーオーディオ装置の全体構成
図２（Ａ）及び（Ｂ）において、１は全体として本発明におけるカーオーディオ装置を示し、本体部２の前面にフロントパネル３が設けられており、ユーザの操作に応じてラジオ放送の受信やＣＤの再生等を行い、本体部２と接続された車両のスピーカ（図示せず）を介してその音声をユーザに聴取させるようになされている。
【００３８】
このカーオーディオ装置１は、図示しない車両に取り付けられた際、その車両の空間的な制約等から、本体部２の大部分がダッシュボード内に埋め込まれ、フロントパネル３だけがダッシュボードの外部に露出するように取り付けられることが想定されている。
【００３９】
実際上、カーオーディオ装置１は、いわゆるＤＩＮ（Deutsche Industrie Normen：ドイツ連邦規格）サイズに準拠しており、横幅が約１７８［mm］、高さが約５０［mm］となるように本体部２及びフロントパネル３が構成されている。
【００４０】
フロントパネル３は、前面３Ａにユーザの操作を受け付けるための操作ボタン群４と、当該ユーザに各種情報を提供するためのＬＣＤ（Liquid Crystal Display）、有機ＥＬ（Electroluminescence）又はＶＦＤ（Vacuum Fluorescent Display）等でなるディスプレイ５とが設けられており、いわゆるユーザインタフェースとして機能するようになされている。
【００４１】
またフロントパネル３（図２（Ｂ））は、ディスプレイ５を配置したディスプレイ配置板６が下方向へスライドするようになされており、それに伴い、当該ディスプレイ配置板６の下方に設けられ操作ボタン群４の一部を配置したボタン配置板７が前方向へせり出しながら突出する。
【００４２】
このためカーオーディオ装置１は、ディスプレイ配置板６が下方向へスライドした際のフロントパネル３における露出部分に、ＣＤ（Compact Disc）メディアやＤＶＤ（Digital Versatile Disc）メディア等を挿入又は排出するためのディスク挿入口８、及び当該ＣＤメディアやＤＶＤメディア等を排出するために押下操作し得るディスク排出ボタン９が設けられている。
【００４３】
因みにカーオーディオ装置１では、盗難抑止等の観点から、例えば車両の駐車時に本体部２からフロントパネル３を取り外し得るようになされており、当該本体部２とフロントパネル３とがコネクタ（図示せず）により電気的に接続及び分離し得るようになされている。
【００４４】
（２）フロントパネルの外観構成
次にフロントパネル３の構成について詳しく説明する。図３に示すように、フロントパネル３には、ディスプレイ５の下方に設けられたボタン配置板７に、操作ボタン群４としてソースボタン１１、モードボタン１２、及び６つのナンバーボタン１３Ａ〜１３Ｆからなるナンバーボタン群１３が設けられ、当該ディスプレイ５の右方向にシークプラスボタン１４及びシークマイナスボタン１５が設けられている。
【００４５】
カーオーディオ装置１（図２）は、ソースボタン１１が押下操作されると、ラジオ放送、ＣＤ等のソースを順に切り換え、当該押下操作に応じて選択されたラジオ放送、ＣＤ等の音声を車両のスピーカから出力するようになされている。
【００４６】
またカーオーディオ装置１は、ソースボタン１１の押下操作に応じてラジオ放送が選択された状態でモードボタン１２が押下操作される毎に、例えばＦＭ放送バンド「ＦＭ１」、「ＦＭ２」、「ＦＭ３」、ＡＭ放送バンド「ＡＭ１」、「ＡＭ２」、ＤＡＢバンド「ＤＡＢ１」、「ＤＡＢ２」、「ＤＡＢ３」、ＡＭ放送帯域により放送されるデジタル放送であるＤＲＭ（Digital Radio Mondiale）の番組を出力するためのＤＲＭバンド「ＤＲＭ１」、「ＤＲＭ２」、「ＤＲＭ３」へと出力バンドを順に切り換えるようになされている。
【００４７】
さらにカーオーディオ装置１は、例えばＤＡＢバンド「ＤＡＢ１」に出力バンドを設定している状態で、ナンバーボタン１３Ａ〜１３Ｆのいずれかが押下操作されると、押下操作されたナンバーボタン１３Ａ〜１３Ｆに対応付けて登録された周波数の放送局から放送される番組の音声を車両のスピーカから出力する。
【００４８】
さらにカーオーディオ装置１は、例えばＤＡＢバンド「ＤＡＢ１」に出力バンドを設定している状態で、シークプラスボタン１４が押下操作されると、現在設定されている周波数より高いＤＡＢ帯域で受信可能な他の放送局を検索し、当該検索した放送局により放送されるＤＡＢの番組を車両のスピーカから出力する。
【００４９】
またカーオーディオ装置１は、例えばＤＡＢバンド「ＤＡＢ１」に出力バンドを設定している状態で、シークマイナスボタン１５が押下操作されると、現在設定されている周波数より低いＤＡＢ帯域で受信可能な他の放送局を検索し、当該検索した放送局により放送されるＤＡＢの番組を車両のスピーカから出力する。
【００５０】
（３）カーオーディオ装置の回路構成
次にカーオーディオ装置１を構成する本体部２及びフロントパネル３の回路構成について説明する。実際上、カーオーディオ装置１は、図示しない車両のバッテリから電源電力の供給を受けて動作するようになされている。
【００５１】
図４に示すように、本体部２のコントローラ２１は、ＣＰＵ（Central Processing Unit）構成でなり、当該コントローラ２１がＲＯＭ（Read Only Memory）から読み出してＲＡＭ（Random Access Memory）に立ち上げた基本プログラムに従って全体を統括制御すると共に、各種アプリケーションプログラムに従ってラジオ放送の受信出力、ＣＤ再生出力等を行うようになされている。
【００５２】
メモリ２２は、不揮発性メモリ等により構成されており、ＤＡＢバンド「ＤＡＢ１」に対して、ＤＡＢ帯域における任意の６つの放送局の周波数がナンバーボタン群１３における６つのナンバーボタン１３Ａ〜１３Ｆにそれぞれ対応付けて登録されている。
【００５３】
またメモリ２２は、ＤＡＢバンド「ＤＡＢ１」と同様に、ＤＡＢバンド「ＤＡＢ２」、「ＤＡＢ３」、ＦＭ放送バンド「ＦＭ１」、「ＦＭ２」、「ＦＭ３」、ＡＭ放送バンド「ＡＭ１」、「ＡＭ２」、ＤＲＭバンド「ＤＲＭ１」、「ＤＲＭ２」及び「ＤＲＭ３」に対してもそれぞれの放送帯域における任意の６つの放送局の周波数がナンバーボタン群１３における６つのナンバーボタン１３Ａ〜１３Ｆにそれぞれ対応付けて登録されている。
【００５４】
カーオーディオ装置１のコントローラ２１は、ソースボタン１１又はモードボタン１２が押下操作され、例えばＤＡＢバンド「ＤＡＢ１」が選択されると、「ＤＡＢ１」の文字をディスプレイ５に表示し、当該ＤＡＢバンド「ＤＡＢ１」が選択されていることをユーザに目視確認させるようになされている。
【００５５】
そしてカーオーディオ装置１のコントローラ２１は、ＤＡＢバンド「ＤＡＢ１」、「ＤＡＢ２」又は「ＤＡＢ３」が選択されている状態で、ナンバーボタン１３Ａ〜１３Ｆ、シークプラスボタン１４又はシークマイナスボタン１５が押下操作され、ＤＡＢ帯域におけるユーザ所望の放送局が選択されると、その放送局により放送される番組を出力するようＤＡＢチューナ２３、オーディオプロセッサ２５及びパワーアンプ２６を制御する。
【００５６】
実際上、ＤＡＢチューナ２３は、ＤＡＢ帯域により放送されるＤＡＢ信号Ｓ１をＤＡＢアンテナ２４を介して受信すると、ＤＡＢ抽出部２３Ａにより当該ＤＡＢ信号Ｓ１からユーザ所望の放送局に対応したＤＡＢチャンネル信号Ｓ１Ａだけを抽出した後、ＤＡＢ信号処理部２３ＢによってＤＡＢチャンネル信号Ｓ１Ａに対して復調処理及び復号処理等を施すことによりＤＡＢデータを得る。
【００５７】
そしてＤＡＢチューナ２３のＤＡＢ信号処理部２３Ｂは、ＤＡＢデータに含まれているＤＡＢ音声データＤ１ＢとＤＡＢ情報データＤ２とを分離すると、ＤＡＢ音声データＤ１ＢをＤＡＢアナログ変換部２３Ｃへ送出すると共に、ＤＡＢ情報データＤ２をコントローラ２１へ送出する。因みに、ＤＡＢ情報データＤ２には、放送局名、番組名、同一内容の番組を放送するＦＭ放送及びＤＲＭの放送局に対応する代替周波数等のＤＡＢ情報が含まれている。
【００５８】
またＤＡＢチューナ２３のＤＡＢ信号処理部２３Ｂは、ＤＡＢデータのエラーレートを検出するようになされており、当該エラーレートが所定の閾値以上の場合、ユーザ所望の放送局に対応したＤＡＢチャンネル信号Ｓ１Ａが受信できていないと判断し、ＤＡＢエラー信号ＥＳ１をコントローラ２１へ送出する。
【００５９】
ＤＡＢチューナ２３のアナログ変換部２３Ｃは、ＤＡＢ音声データＤ１Ｂをアナログ変換し、その結果得られるＤＡＢ音声信号Ｓ３をオーディオプロセッサ２５へ送出する。
【００６０】
オーディオプロセッサ２５は、ＤＡＢチューナ２３から供給されたＤＡＢ音声信号Ｓ３に対してイコライザ処理やボリューム調整処理等の音声調整処理を施し、その結果得られるＤＡＢ音声信号Ｓ４をパワーアンプ２６へ送出する。
【００６１】
パワーアンプ２６は、オーディオプロセッサ２５から供給されたＤＡＢ音声信号Ｓ４を所定レベルに増幅し、その増幅したＤＡＢ音声信号Ｓ４に基づく番組の音声をスピーカ２７から出力することにより、ユーザ所望のＤＡＢバンドの番組を聴取させ得るようになされている。
【００６２】
一方、カーオーディオ装置１のコントローラ２１は、ＤＡＢチューナ２３のＤＡＢ信号処理部２３Ｂから供給されたＤＡＢ情報データＤ２に含まれる放送局名、番組名等をディスプレイ５に表示するようになされており、当該放送局名、番組名等をユーザに目視確認させ得るようになされている。
【００６３】
またカーオーディオ装置１のコントローラ２１は、ＦＭ放送バンド「ＦＭ１」、「ＦＭ２」又は「ＦＭ３」が選択されている状態で、ナンバーボタン１３Ａ〜１３Ｆ、シークプラスボタン１４又はシークマイナスボタン１５が押下操作され、ＦＭ放送帯域におけるユーザ所望の放送局が選択されると、その放送局により放送される番組を出力するようＡＭ／ＦＭチューナ２８、オーディオプロセッサ２５及びパワーアンプ２６を制御する。
【００６４】
実際上、ＡＭ／ＦＭチューナ２８は、ＦＭ放送帯域により放送されるＦＭ放送信号Ｓ１１をＡＭ／ＦＭアンテナ２９を介して受信すると、ＡＭ／ＦＭ抽出部２８ＡによりＦＭ放送信号Ｓ１１からユーザ所望の放送局に対応したＦＭ放送チャンネル信号Ｓ１１Ａだけを抽出し、ＡＭ／ＦＭ復調部２８ＢによりＦＭ放送チャンネル信号Ｓ１１Ａを復調し、その結果としてＦＭ放送音声信号Ｓ１２、及びＦＭ放送音声信号Ｓ１２に多重されていたＲＤＳ（Radio Data System）データＤ１３を得る。
【００６５】
このときＡＭ／ＦＭチューナ２８のＡＭ／ＦＭ復調部２８Ｂは、ＦＭ放送音声信号Ｓ１２をオーディオプロセッサ２５へ送出すると共に、当該ＦＭ放送音声信号Ｓ１２に多重されていたＲＤＳ（Radio Data System）データＤ１３をコントローラ２１へ送出する。因みに、ＲＤＳデータＤ１３には、放送局名、番組名、同一内容の番組を放送するＤＡＢの放送局に対応した代替周波数等のＲＤＳ情報が含まれる。
【００６６】
その後、カーオーディオ装置１では、オーディオプロセッサ２５及びパワーアンプ２６により上述したＤＡＢ音声信号Ｓ３に対する処理と同様に、オーディオプロセッサ２５によりＦＭ放送音声信号Ｓ１２に対して音声調整処理が施されたＦＭ放送音声信号Ｓ１４を、パワーアンプ２６によって所定レベルに増幅し、その増幅したＦＭ放送音声信号Ｓ１４に基づく番組の音声をスピーカ２７から出力することにより、ＦＭ放送の番組をユーザに聴取させ得るようになされている。
【００６７】
一方、カーオーディオ装置１のコントローラ２１は、ＡＭ／ＦＭチューナ２８から供給されたＲＤＳデータＤ１３に含まれる放送局名、番組名等をディスプレイ５に表示するようになされており、当該放送局名、番組名等をユーザに目視確認させ得るようになされている。
【００６８】
さらにカーオーディオ装置１のコントローラ２１は、ＡＭ放送バンド「ＡＭ１」又は「ＡＭ２」が選択されている状態で、ナンバーボタン１３Ａ〜１３Ｆ、シークプラスボタン１４又はシークマイナスボタン１５が押下操作され、ＡＭ放送におけるユーザ所望の放送局が選択されると、その放送局から放送される番組を出力するようＡＭ／ＦＭチューナ２８、オーディオプロセッサ２５及びパワーアンプ２６を制御する。
【００６９】
実際上、ＡＭ／ＦＭチューナ２８は、ＡＭ放送帯域により放送されるＡＭ放送信号Ｓ２１をＡＭ／ＦＭアンテナ２９を介して受信すると、当該ＦＭ放送信号Ｓ２１からユーザ所望の放送局に対応したＡＭ放送チャンネル信号Ｓ２１ＡだけをＡＭ／ＦＭ抽出部２８Ａにより抽出し、ＡＭ／ＦＭ復調部２８ＢによってＡＭ放送チャンネル信号Ｓ２１Ａを復調し、その結果得られたＡＭ放送音声信号Ｓ２２をオーディオプロセッサ２５へ送出する。
【００７０】
その後、カーオーディオ装置１では、オーディオプロセッサ２５及びパワーアンプ２６により上述したＤＡＢ音声信号Ｓ３に対する処理と同様に、オーディオプロセッサ２５によりＡＭ放送音声信号Ｓ２２に対して音声調整処理が施されたＡＭ放送音声信号Ｓ２４を、パワーアンプ２６によって所定レベルに増幅し、その増幅したＡＭ放送音声信号Ｓ２４に基づく番組の音声をスピーカ２７から出力することにより、ＡＭ放送の番組をユーザに聴取させ得るようになされている。
【００７１】
またカーオーディオ装置１のコントローラ２１は、ＤＲＭバンド「ＤＲＭ１」、「ＤＲＭ２」又は「ＤＲＭ３」が選択されている状態で、ナンバーボタン１３Ａ〜１３Ｆ、シークプラスボタン１４又はシークマイナスボタン１５が押下操作され、ＡＭ放送帯域におけるユーザ所望のＤＲＭの放送局が選択されると、その放送局により放送される番組を出力するようＡＭ／ＦＭチューナ２８、オーディオプロセッサ２５及びパワーアンプ２６を制御する。
【００７２】
ＡＭ／ＦＭチューナ２８は、ＡＭ放送帯域により放送されるＤＲＭ信号Ｓ３１をＡＭ／ＦＭアンテナ２９を介して受信すると、当該ＤＲＭ信号Ｓ３１からユーザ所望の放送局に対応したＤＲＭチャンネル信号Ｓ３１ＡだけをＡＭ／ＦＭ抽出部２８Ａにより抽出し、ＡＭ／ＦＭ復調部２８Ｂによって当該ＤＲＭチャンネル信号Ｓ３１Ａを復調し、その結果得られるＤＲＭチャンネル信号Ｓ３１ＢをＤＲＭデコーダ２８Ｃへ送出する。
【００７３】
そしてＡＭ／ＦＭチューナ２８のＤＲＭデコーダ２８Ｃは、ＤＲＭチャンネル信号Ｓ３１Ｂを復号し、その結果得られたＤＲＭデータに含まれるＤＲＭ音声データＤ３１ＣとＤＲＭ情報データＤ３３とを分離した後、当該ＤＲＭ音声データＤ３１ＣをＤＲＭアナログ変換部２８Ｄへ送出すると共に、ＤＲＭ情報データＤ３３をコントローラ２１へ送出する。因みにＤＲＭ情報データＤ３３には、放送局名、番組名、同一内容の番組を放送するＤＡＢの放送局に対応する代替周波数等のＤＲＭ情報が含まれる。
【００７４】
またＡＭ／ＦＭチューナ２８のＤＲＭデコーダ２８Ｃは、ＤＲＭデータのエラーレートを検出するようになされており、当該エラーレートが所定の閾値以上の場合、ユーザ所望の放送局に対応したＤＲＭチャンネル信号Ｓ３１Ａが受信できていないと判断し、ＤＲＭエラー信号ＥＳ２をコントローラ２１へ送出する。
【００７５】
ＡＭ／ＦＭチューナ２８のＤＲＭアナログ変換部２８Ｄは、ＤＲＭデコーダ２８Ｃから供給されたＤＲＭ音声データＤ３１Ｃをアナログ変換し、その結果得られるＤＲＭ音声信号Ｓ３２をオーディオプロセッサ２５へ送出する。
【００７６】
その後、カーオーディオ装置１では、オーディオプロセッサ２５及びパワーアンプ２６により上述したＤＡＢ音声信号Ｓ３に対する処理と同様に、オーディオプロセッサ２５によりＤＲＭ音声信号Ｓ３２に対して音声調整処理が施されたＤＲＭ音声信号Ｓ３４を、パワーアンプ２６によって所定レベルに増幅し、そのＤＲＭ音声信号Ｓ３４に基づく番組の音声を出力することにより、ＤＲＭの番組をユーザに聴取させ得るようになされている。
【００７７】
一方、カーオーディオ装置１のコントローラ２１は、ＡＭ／ＦＭチューナ２８から供給されたＲＤＳ情報データＤ３３に含まれる放送局名、番組名等をディスプレイ５に表示するようになされており、当該放送局名、番組名等をユーザに目視確認させ得るようになされている。
【００７８】
ところでカーオーディオ装置１のコントローラ２１は、例えばソースボタン１１の押下操作に応じて「ＣＤ」が選択されると、ＣＤプレーヤ３０によりＣＤメディアのＣＤ音楽データを再生させ、そのＣＤ音声データをオーディオプロセッサ２５へ送出させる。
【００７９】
そしてカーオーディオ装置１では、オーディオプロセッサ２５、パワーアンプ２６及びスピーカ２７を介してＣＤプレーヤ３０から供給されたＣＤ音声データに基づく音声を出力することにより、ＣＤ再生音声をユーザに聴取させ得るようになされている。
【００８０】
（４）ＦＭリンク機能におけるＤＡＢ復帰処理手順
次に、カーオーディオ装置１においてＦＭリンク機能がオンになっている場合、ＤＡＢバンドからＦＭ放送バンドへ放送バンドを自動的に切り換えた後、ＤＡＢバンドの放送局を検索するための操作がユーザによって行われたときに、ＤＡＢバンドへ放送バンドを強制的に戻し、ＤＡＢの番組を出力する処理の流れを、図５を用いて説明する。
【００８１】
カーオーディオ装置１のコントローラ２１は、ルーチンＲＴ２の開始ステップから入って次のステップＳＰ２１へ移り、例えばソースボタン１１が押下操作されたことに応じてＤＡＢバンド「ＤＡＢ１」に放送バンドが設定された場合、ＦＭリンク機能をオンし、次のステップＳＰ２２へ移る。
【００８２】
ここでカーオーディオ装置１では、デフォルト設定においてＦＭリンク機能がオンに設定されているため、ユーザに対してＦＭリンク機能をオンさせることなく、自動的にＦＭリンク機能がオンするようになされているが、これに限るものではなく、所定の操作をユーザに行わせることによってＦＭリンク機能をオンするようにしても良い。
【００８３】
ステップＳＰ２２においてカーオーディオ装置１のコントローラ２１は、ナンバーボタン１３Ａ〜１３Ｆ、シークプラスボタン１４又はシークマイナスボタン１５が押下操作されたことにより、ＤＡＢバンド「ＤＡＢ１」におけるユーザ所望の放送局が選択されると、ＤＡＢ信号Ｓ１をＤＡＢアンテナ２４を介してＤＡＢチューナ２３により受信させ、当該ＤＡＢチューナ２３によってユーザ所望の放送局に対応するＤＡＢ音声信号Ｓ３を抽出させ、オーディオプロセッサ２５によりＤＡＢ音声信号Ｓ３に対して音声調整処理が施されたＤＡＢ音声信号Ｓ４に基づく番組の音声を、パワーアンプ２６及びスピーカ２７を介して出力し、次のステップＳＰ２３へ移る。
【００８４】
このときカーオーディオ装置１のコントローラ２１は、ＤＡＢチューナ２３のＤＡＢ信号処理部２３Ｂから供給されたＤＡＢ情報データＤ２に含まれる放送局名、番組名等をディスプレイ５に表示すると共に、ＡＭ／ＦＭチューナ２８に対して、ＤＡＢ情報データＤ２に含まれるＦＭ放送の代替周波数に対応するＦＭ放送音声信号Ｓ１２をオーディオプロセッサ２５へ送出させる。
【００８５】
ここでカーオーディオ装置１のコントローラ２１は、オーディオプロセッサ２５に対して、ＤＡＢ音声信号Ｓ４だけをパワーアンプ２６へ送出させ、ＦＭ放送音声信号Ｓ１４を送出させないよう制御する。
【００８６】
ステップＳＰ２３においてカーオーディオ装置１のコントローラ２１は、ＤＡＢチューナ２３のＤＡＢ信号処理部２３ＢからＤＡＢエラー信号ＥＳ１が供給されたか否かを判断し、否定結果が得られるとステップＳＰ２２へ戻って引き続き番組を出力する。
【００８７】
これに対してステップＳＰ２３で肯定結果が得られると、このことは現在出力中の番組を放送する放送局のＤＡＢチャンネル信号Ｓ１Ａが受信できていないことを表しており、このときカーオーディオ装置１のコントローラ２１は、次のステップＳＰ２４へ移る。
【００８８】
ステップＳＰ２４においてカーオーディオ装置１のコントローラ２１は、出力切換命令信号をオーディオプロセッサ２５へ送出し、当該オーディオプロセッサ２５に対して、ＡＭ／ＦＭチューナ２８から供給されたＦＭ放送音声信号Ｓ１２に対して音声調整処理が施されたＦＭ放送音声信号Ｓ１４をパワーアンプ２６へ送出させ、ステップＳＰ２２においてユーザに聴取させていたＤＡＢの番組と同一内容のＦＭ放送の番組をスピーカ２７から出力させ、次のステップＳＰ２５へ移る。
【００８９】
このときカーオーディオ装置１のコントローラ２１は、ＡＭ／ＦＭチューナ２８から供給されるＲＤＳ情報データＤ１３に含まれる放送局名、番組名等と、ＤＡＢバンド「ＤＡＢ１」から例えばＦＭ放送バンド「ＦＭ１」へ切り換わった旨を示す「ＦＭ１」の文字とをディスプレイ５に表示する。
【００９０】
ところでカーオーディオ装置１では、例えば現在聴取させている番組にユーザが飽きて、当該ユーザが異なる放送局で放送される他の番組を聴取するためにシークプラスボタン１４又はシークマイナスボタン１５を押下操作する場合が考えられる。
【００９１】
そこでステップＳＰ２５においてカーオーディオ装置１のコントローラ２１は、シークプラスボタン１４又はシークマイナスボタン１５が押下操作されたか否かを判断し、否定結果が得られると再度ステップＳＰ２５へ戻り、シークプラスボタン１４又はシークマイナスボタン１５が押下操作されるまで待ち受けるのに対し、肯定結果が得られると次のステップＳＰ２６へ移る。
【００９２】
ステップＳＰ２６においてカーオーディオ装置１のコントローラ２１は、ＦＭ放送バンド「ＦＭ１」からＤＡＢバンド「ＤＡＢ１」へ放送バンドを強制的に戻し、ステップＳＰ２５においてシークプラスボタン１４が押下操作されていた場合にはステップＳＰ２２において設定された周波数より高いＤＡＢ帯域で受信可能な放送局を検索し、次のステップＳＰ２７へ移る。
【００９３】
またカーオーディオ装置１のコントローラ２１は、ステップＳＰ２５においてシークマイナスボタン１５が押下操作されていた場合には、ステップＳＰ２２において設定された周波数より低いＤＡＢ帯域で受信可能な放送局を検索し、次のステップＳＰ２７へ移る。
【００９４】
ステップＳＰ２７においてカーオーディ装置１のコントローラ２１は、シークプラスボタン１４又はシークマイナスボタン１５の押下操作に応じて検索した放送局のＤＡＢ音声信号Ｓ３をＤＡＢチューナ２３により抽出させ、オーディオプロセッサ２５によってＤＡＢ音声信号Ｓ３に対して音声調整処理が施されたＤＡＢ音声信号Ｓ４に基づく番組の音声を、パワーアンプ２６及びスピーカ２７を介して出力することによりＤＡＢの番組をユーザに聴取させ、次のステップＳＰ２８へ移って処理を終了する。
【００９５】
このようにカーオーディオ装置１のコントローラ２１は、上述したＦＭリンク機能におけるＤＡＢ復帰処理手順に従って、例えばＤＡＢバンド「ＤＡＢ１」において出力していた放送局のＤＡＢチャンネル信号Ｓ１Ａが受信できなくなり、ＦＭリンク機能によりＦＭ放送バンド「ＦＭ１」へ放送バンドを切り換えた場合、シークプラスボタン１４又はシークマイナスボタン１５が押下操作されたことを認識すると、ＦＭ放送バンド「ＦＭ１」からＤＡＢバンド「ＤＡＢ１」へ強制的に放送バンドを戻して当該ＤＡＢバンド「ＤＡＢ１」における受信可能な放送局を検索し、当該検索した放送局により放送されるＤＡＢの番組を出力するようになされている。
【００９６】
これによりカーオーディオ装置１のコントローラ２１は、ＦＭリンク機能がオンになっており、かつＤＡＢバンド「ＤＡＢ１」における番組を最初に聴取させていた後、ＤＡＢバンド「ＤＡＢ１」からＦＭ放送バンド「ＦＭ１」へ放送バンドを切り換えた場合、シークプラスボタン１４又はシークマイナスボタン１５が押下操作されたことを認識すると、ＤＡＢバンド「ＤＡＢ１」の受信可能な放送局を自動的に検索し、ＦＭ放送バンド「ＦＭ１」からＤＡＢバンド「ＤＡＢ１」へ放送バンドを戻した後、そのＤＡＢバンド「ＤＡＢ１」の放送局により放送される番組を聴取させることができる。
【００９７】
（５）ＤＲＭリンク機能におけるＤＡＢ復帰処理手順
ところでカーオーディオ装置１は、ＤＡＢチューナ２３によりＤＡＢ信号Ｓ１を受信し、ユーザ所望の放送局に対応するＤＡＢチャンネル信号Ｓ１Ａに基づいてＤＡＢの番組をユーザに聴取させている状態で、当該ＤＡＢチャンネル信号Ｓ１Ａが受信できなくなった場合、ＡＭ／ＦＭチューナ２８によりＤＲＭ信号Ｓ３１を受信し、聴取させていたＤＡＢの番組と同一内容の番組が放送されているＤＲＭチャンネル信号Ｓ３１Ａに基づいたＤＲＭの番組をユーザに聴取させる機能（以下、これをＤＲＭリンク機能と呼ぶ。）を有する。
【００９８】
カーオーディオ装置１においてＤＲＭリンク機能がオンになっている場合、ＤＡＢバンドからＤＲＭバンドへ放送バンドが自動的に切り換わった後、ＤＡＢバンドの放送局を検索するための操作がユーザによって行われたときに、ＤＡＢバンドへ放送バンドを強制的に戻し、ＤＡＢの番組を出力する処理の流れを、図６を用いて説明する。
【００９９】
カーオーディオ装置１のコントローラ２１は、ルーチンＲＴ３の開始ステップから入って次のステップＳＰ３１へ移り、例えばソースボタン１１が押下操作されたことに応じてＤＡＢバンド「ＤＡＢ１」に放送バンドが設定された場合、ＤＲＭリンク機能をオンし、次のステップＳＰ３２へ移る。
【０１００】
ステップＳＰ３２においてカーオーディオ装置１のコントローラ２１は、ナンバーボタン１３Ａ〜１３Ｆ、シークプラスボタン１４又はシークマイナスボタン１５が押下操作されたことにより、ＤＡＢバンド「ＤＡＢ１」におけるユーザ所望の放送局が選択されると、ＤＡＢ信号Ｓ１をＤＡＢアンテナ２４を介してＤＡＢチューナ２３により受信させ、当該ＤＡＢチューナ２３によってユーザ所望の放送局に対応するＤＡＢ音声信号Ｓ３を抽出させ、オーディオプロセッサ２５によりＤＡＢ音声信号Ｓ３に対して音声調整処理が施されたＤＡＢ音声信号Ｓ４に基づく番組の音声を、パワーアンプ２６及びスピーカ２７を介して出力し、次のステップＳＰ３３へ移る。
【０１０１】
このときカーオーディオ装置１のコントローラ２１は、ＤＡＢチューナ２３のＤＡＢ信号処理部２３Ｂから供給されたＤＡＢ情報データＤ２に含まれる放送局名、番組名等をディスプレイ５に表示すると共に、ＡＭ／ＦＭチューナ２８に対して、ＤＡＢ情報データＤ２に含まれるＤＲＭの代替周波数に対応するＤＲＭ音声信号Ｓ３２をオーディオプロセッサ２５へ送出させる。
【０１０２】
ここでカーオーディオ装置１のコントローラ２１は、オーディオプロセッサ２５に対して、ＤＡＢ音声信号Ｓ４をパワーアンプ２６へ送出させ、ＤＲＭ音声信号Ｓ３４を送出させないよう制御する。
【０１０３】
ステップＳＰ３３においてカーオーディオ装置１のコントローラ２１は、ＤＡＢチューナ２３のＤＡＢ信号処理部２３ＢからＤＡＢエラー信号ＥＳ１が供給されたか否かを判断し、否定結果が得られるとステップＳＰ３２へ戻って引き続き番組を出力する。
【０１０４】
これに対してステップＳＰ３３で肯定結果が得られると、このことは現在出力中の番組を放送する放送局のＤＡＢチャンネル信号Ｓ１Ａが受信できていないことを表しており、このときカーオーディオ装置１のコントローラ２１は、次のステップＳＰ３４へ移る。
【０１０５】
ステップＳＰ３４においてカーオーディオ装置１のコントローラ２１は、出力切換命令信号をオーディオプロセッサ２５へ送出し、当該オーディオプロセッサ２５に対して、ＡＭ／ＦＭチューナ２８から供給されたＤＲＭ音声信号Ｓ３２に対して音声調整処理が施されたＤＲＭ音声信号Ｓ３４をパワーアンプ２６へ送出させ、ステップＳＰ３２においてユーザに聴取させていたＤＡＢの番組と同一内容のＤＲＭの番組をスピーカ２７から出力させ、次のステップＳＰ３５へ移る。
【０１０６】
このときカーオーディオ装置１のコントローラ２１は、ＡＭ／ＦＭチューナ２８から供給されるＤＲＭ情報データＤ３３に含まれる放送局名、番組名等と、ＤＡＢバンド「ＤＡＢ１」から例えばＤＲＭバンド「ＤＲＭ１」へ切り換わった旨を示す「ＤＲＭ１」の文字とをディスプレイ５に表示する。
【０１０７】
ところでカーオーディオ装置１では、例えば現在聴取させている番組にユーザが飽きて、当該ユーザが異なる放送局で放送される他の番組を聴取するためにシークプラスボタン１４又はシークマイナスボタン１５を押下操作する場合が考えられる。
【０１０８】
そこでステップＳＰ３５においてカーオーディオ装置１のコントローラ２１は、シークプラスボタン１４又はシークマイナスボタン１５が押下操作されたか否かを判断し、否定結果が得られると再度ステップＳＰ３５へ戻り、シークプラスボタン１４又はシークマイナスボタン１５が押下操作されるまで待ち受けるのに対し、肯定結果が得られると次のステップＳＰ３６へ移る。
【０１０９】
ステップＳＰ３６においてカーオーディオ装置１のコントローラ２１は、ＤＲＭバンド「ＤＲＭ１」からＤＡＢバンド「ＤＡＢ１」へ放送バンドを強制的に戻し、ステップＳＰ３５においてシークプラスボタン１４が押下操作されていた場合には、ステップＳＰ３２において設定された周波数より高いＤＡＢ帯域で受信可能な放送局を検索し、次のステップＳＰ３７へ移る。
【０１１０】
またカーオーディオ装置１のコントローラ２１は、ステップＳＰ３５においてシークマイナスボタン１５が押下操作された場合には、ステップＳＰ３２において設定された周波数より低いＤＡＢ帯域で受信可能な放送局を検索し、次のステップＳＰ３７へ移る。
【０１１１】
ステップＳＰ３７においてカーオーディ装置１のコントローラ２１は、シークプラスボタン１４又はシークマイナスボタン１５の押下操作に応じて検索した放送局のＤＡＢ音声信号Ｓ３をＤＡＢチューナ２３により抽出させ、オーディオプロセッサ２５によってＤＡＢ音声信号Ｓ３に対して音声調整処理が施されたＤＡＢ音声信号Ｓ４に基づく番組の音声を、パワーアンプ２６及びスピーカ２７を介して出力することによりＤＡＢの番組をユーザに聴取させ、次のステップＳＰ３８へ移って処理を終了する。
【０１１２】
このようにカーオーディオ装置１のコントローラ２１は、上述したＤＲＭリンク機能におけるＤＡＢ復帰処理手順に従って、例えばＤＡＢバンド「ＤＡＢ１」において出力していた放送局のＤＡＢチャンネル信号Ｓ１Ａが受信できなくなり、ＤＲＭリンク機能によりＤＲＭバンド「ＤＲＭ１」へ放送バンドを切り換えた場合、シークプラスボタン１４又はシークマイナスボタン１５が押下操作されたことを認識すると、ＤＲＭバンド「ＤＲＭ１」からＤＡＢバンド「ＤＡＢ１」へ強制的に放送バンドを復帰して、当該ＤＡＢバンド「ＤＡＢ１」における受信可能な放送局を検索し、当該検索した放送局により放送されるＤＡＢの番組を出力するようになされている。
【０１１３】
これによりカーオーディオ装置１のコントローラ２１は、ＤＲＭリンク機能がオンになっており、かつＤＡＢバンド「ＤＡＢ１」における番組を最初に聴取させていた後、ＤＡＢバンド「ＤＡＢ１」からＤＲＭバンド「ＤＲＭ１」へ放送バンドを切り換えた場合、シークプラスボタン１４又はシークマイナスボタン１５が押下操作されたことを認識すると、ＤＡＢバンド「ＤＡＢ１」の受信可能な放送局を自動的に検索し、ＤＲＭバンド「ＤＲＭ１」からＤＡＢバンド「ＤＡＢ１」へ放送バンドを戻した後、そのＤＡＢバンド「ＤＡＢ１」の放送局により放送される番組を聴取させることができる。
【０１１４】
（６）動作及び効果
以上の構成において、カーオーディオ装置１は、例えばＤＡＢバンド「ＤＡＢ１」において出力していた番組のＤＡＢチャンネル信号Ｓ１Ａが受信できなくなり、ＦＭリンク機能によりＦＭ放送バンド「ＦＭ１」へ放送バンドを切り換えた後、シークプラスボタン１４又はシークマイナスボタン１５が押下操作されると、ＦＭ放送バンド「ＦＭ１」からＤＡＢバンド「ＤＡＢ１」へ強制的に放送バンドを戻し、当該ＤＡＢバンド「ＤＡＢ１」において受信可能な放送局を検索し、当該検索した放送局により放送されるＤＡＢの番組をユーザに聴取させることができる。
【０１１５】
このカーオーディオ装置１は、以下に示すような使い勝手の良いラジオ受信方法を提供することができる。すなわちカーオーディオ装置１では、例えばＤＡＢバンド「ＤＡＢ１」により放送される番組をユーザに対して聴取させている状態で、ＦＭリンク機能によりＤＡＢバンド「ＤＡＢ１」からＦＭ放送バンド「ＦＭ１」へ放送バンドを切り換えても、同一内容の番組を聴取させているため、当該ユーザに対して放送バンドが切り換わったことを気付かせられないことが考えられる。
【０１１６】
このときユーザは、放送バンドがＦＭ放送バンド「ＦＭ１」へ切り換わったことに気付かず、現在聴取している番組に飽きて、放送局を変更するためにシークプラスボタン１４又はシークマイナスボタン１５を押下操作した場合、ＤＡＢ帯域の他の放送局をカーオーディオ装置１が検索すると思っているはずである。
【０１１７】
ところが従来のカーオーディオ装置では、ＦＭリンク機能によりＤＡＢバンド「ＤＡＢ１」からＦＭ放送バンド「ＦＭ１」へ放送バンドを切り換えた後、シークプラスボタン１４又はシークマイナスボタン１５が押下操作されると、ＦＭ放送帯域の他の放送局を検索し、その放送局の番組を出力してしまう。そこでユーザは、ＦＭ放送の番組を聴取していることに気付き、例えばＤＡＢバンド「ＤＡＢ１」へ放送バンドを戻すため、モードボタン１２等の押下操作を行わなければならない。
【０１１８】
しかしながら本発明のカーオーディオ装置１では、ＦＭリンク機能によりＦＭ放送バンド「ＦＭ１」へ放送バンドが切り換わったことにユーザが気づいていようがいなかろうが、当該ユーザが現在聴取している番組に飽きてシークプラスボタン１４又はシークマイナスボタン１５を押下操作すれば、必ず放送バンドをＦＭ放送バンド「ＦＭ１」からＤＡＢバンド「ＤＡＢ１」へ強制的に戻し、ＤＡＢの番組を聴取させることができる。従ってユーザは、ＤＡＢバンド「ＤＡＢ１」及びＦＭ放送バンド「ＦＭ１」のどちらに設定されているかを気にすることなく、現在聴いている番組に飽きたら、シークプラスボタン１４又はシークマイナスボタン１５を押下操作すれば、常にＤＡＢの他の番組を聴取することができる。
【０１１９】
またカーオーディオ装置１は、ＦＭ放送バンド「ＦＭ１」からＤＡＢバンド「ＤＡＢ１」へ強制的に放送バンドを戻す際、最初に聴取させていた周波数のＤＡＢチャンネル信号Ｓ１Ａを受信できる可能性が低いので、ＤＡＢバンド「ＤＡＢ１」の受信可能な周波数を検索し、その周波数により放送されるＤＡＢの番組を聴取させることにより、受信可能な周波数を検索するためのボタン押下操作をさせない分、簡易な操作でＤＡＢの番組を聴取させることができる。
【０１２０】
さらにカーオーディオ装置１は、ＦＭリンク機能がオンになっていることによりＤＡＢバンド「ＤＡＢ１」からＦＭ放送バンド「ＦＭ１」へ自動的に切り換わった場合にも、シークプラスボタン１４又はシークマイナスボタン１５を押下操作させるによりＦＭ放送バンド「ＦＭ１」からＤＡＢバンド「ＤＡＢ１」へ強制的に放送バンドを戻すことができるので、従来のようにユーザに対して複数回もモードボタンを押下操作させるという煩雑な操作を強いることがなく、簡易な操作でＤＡＢバンド「ＤＡＢ１」におけるＤＡＢの番組を聴取させることができる。
【０１２１】
またカーオーディオ装置１は、ＦＭリンク機能がオンになっていることによりＤＡＢバンド「ＤＡＢ１」からＦＭ放送バンド「ＦＭ１」へ自動的に切り換わった場合にも、シークプラスボタン１４又はシークマイナスボタン１５が押下操作されたことを認識すると、ＦＭ放送バンド「ＦＭ１」からＤＡＢバンド「ＤＡＢ１」へ強制的に放送バンドを戻すので、ＤＡＢバンド「ＤＡＢ１」の受信可能な放送局を検索するためにシークプラスボタン１４又はシークマイナスボタン１５を押下操作させる際、ユーザに対して放送バンドがＦＭ放送バンド「ＦＭ１」及びＤＡＢバンド「ＤＡＢ１」のどちらを聴取しているか目視確認させずに済み、その分使い勝手を向上することができる。
【０１２２】
またカーオーディオ装置１は、例えばＤＡＢバンド「ＤＡＢ１」において出力していた番組の放送局のＤＡＢチャンネル信号Ｓ１Ａが受信できなくなり、ＤＲＭリンク機能によりＤＲＭバンド「ＤＲＭ１」へ放送バンドを切り換えた場合、シークプラスボタン１４又はシークマイナスボタン１５が押下操作されたことを認識すると、ＤＲＭバンド「ＤＲＭ１」からＤＡＢバンド「ＤＡＢ１」へ強制的に放送バンドを復帰して、当該ＤＡＢバンド「ＤＡＢ１」における受信可能な放送局を検索し、当該検索した放送局により放送されるＤＡＢの番組を聴取させることができる。
【０１２３】
以上の構成によれば、ＦＭリンク機能又はＤＲＭリンク機能がオンになっており、かつＤＡＢバンド「ＤＡＢ１」における番組を最初に聴取させていた場合、シークプラスボタン１４又はシークマイナスボタン１５が押下操作されると、ＦＭ放送バンド「ＦＭ１」又はＤＲＭバンド「ＤＲＭ１」からＤＡＢバンド「ＤＡＢ１」へ強制的に放送バンドを戻し、ＤＡＢバンド「ＤＡＢ１」の受信可能な放送局を検索し、その放送局により放送されるＤＡＢの番組を聴取させることができる。
【０１２４】
（７）他の実施の形態
なお上述した実施の形態においては、ＦＭリンク機能がオンになっており、ＤＡＢバンド「ＤＡＢ１」からＦＭ放送バンド「ＦＭ１」へ自動的に切り換わった場合、シークプラスボタン１４又はシークマイナスボタン１５が押下操作されると、ＦＭ放送バンド「ＦＭ１」からＤＡＢバンド「ＤＡＢ１」へ強制的に放送バンドを戻すようにした場合について述べたが、本発明はこれに限らず、例えばソースボタン１１、モードボタン１２、又はナンバーボタン１３Ａ〜１３Ｆが押下操作されても、ＦＭ放送バンド「ＦＭ１」からＤＡＢバンド「ＤＡＢ１」へ強制的に放送バンドを戻すようにしても良い。
【０１２５】
この場合、カーオーディオ装置１は、ＦＭリンク機能がオンになっており、ＤＡＢバンド「ＤＡＢ１」からＦＭ放送バンド「ＦＭ１」へ自動的に切り換わった後、ソースボタン１１又はモードボタン１２が押下操作されると、ＦＭ放送バンド「ＦＭ１」からＤＡＢバンド「ＤＡＢ１」へ強制的に放送バンドを戻し、その際、最初に聴取させていた放送局のＤＡＢチャンネル信号Ｓ１Ａを受信できる可能性が低いため、ＤＡＢバンド「ＤＡＢ１」の受信可能な放送局を検索し、その放送局により放送されるＤＡＢの番組を聴取させることにより、上述した実施の形態と同様の効果を得ることができる。
【０１２６】
またカーオーディオ装置１は、ＦＭリンク機能がオンになっており、ＤＡＢバンド「ＤＡＢ１」からＦＭ放送バンド「ＦＭ１」へ自動的に切り換わった後、ナンバーボタン１３Ａ〜１３Ｆのいずれかが押下操作されると、当該ナンバーボタン１３Ａ〜１３Ｆに対応した周波数をメモリ２２から読み出し、当該読み出した周波数に対応した放送局により放送されるＤＡＢの番組を出力する。
【０１２７】
また上述した実施の形態においては、ＦＭリンク機能又はＤＲＭリンク機能により例えばＤＡＢバンド「ＤＡＢ１」からＦＭ放送バンド「ＦＭ１」又はＤＲＭバンド「ＤＲＭ１」へ放送バンドが切り換わった後、シークプラスボタン１４又はシークマイナスボタン１５の押下操作が行われたとき、ＤＡＢバンド「ＤＡＢ１」へ放送バンドを強制的に戻し、ＤＡＢの番組を出力するようにした場合について述べたが、本発明はこれに限らず、ＤＡＢリンク機能を有する場合、ＤＡＢリンク機能により例えばＤＲＭバンド「ＤＲＭ１」からＤＡＢバンド「ＤＡＢ１」へ放送バンドが切り換わった後、シークプラスボタン１４又はシークマイナスボタン１５の押下操作が行われると、ＤＲＭバンド「ＤＲＭ１」へ放送バンドを強制的に戻し、ＤＲＭの番組を出力するようにしても良い。
【０１２８】
ここでＤＡＢリンク機能とは、ＡＭ／ＦＭチューナ２８によりＤＲＭ信号Ｓ３１を受信し、ユーザ所望の放送局に対応するＤＲＭチャンネル信号Ｓ３１Ａに基づいてＤＲＭの番組をユーザに聴取させている状態で、当該ＤＲＭチャンネル信号Ｓ３１Ａが受信できなくなった場合、ＤＡＢチューナ２３によりＤＡＢ信号Ｓ１を受信し、聴取させていたＤＲＭの番組と同一内容の番組が放送されるＤＡＢチャンネル信号Ｓ１Ａに基づいたＤＡＢの番組をユーザに聴取させる機能である。
【０１２９】
カーオーディオ装置１のコントローラ２１は、図７に示すように、ルーチンＲＴ４の開始ステップから入って次のステップＳＰ４１へ移り、例えばソースボタン１１が押下操作されたことに応じてＤＲＭバンド「ＤＲＭ１」に放送バンドが設定された場合、ＤＡＢリンク機能をオンし、次のステップＳＰ４２へ移る。
【０１３０】
ステップＳＰ４２においてカーオーディオ装置１のコントローラ２１は、ナンバーボタン１３Ａ〜１３Ｆ、シークプラスボタン１４又はシークマイナスボタン１５が押下操作されたことにより、ＤＲＭバンド「ＤＲＭ１」におけるユーザ所望の放送局が選択されると、ＤＲＭ信号Ｓ３１をＡＭ／ＦＭアンテナ２９を介してＡＭ／ＦＭチューナ２８により受信させ、当該ＡＭ／ＦＭチューナ２８によってユーザ所望の放送局に対応するＤＲＭ音声信号Ｓ３２を抽出させ、オーディオプロセッサ２５によりＤＲＭ音声信号Ｓ３２に対して音声調整処理が施されたＤＲＭ音声信号Ｓ３４に基づく番組の音声を、パワーアンプ２６及びスピーカ２７を介して出力し、次のステップＳＰ４３へ移る。
【０１３１】
このときカーオーディオ装置１のコントローラ２１は、ＡＭ／ＦＭチューナ２８のＤＲＭデコーダ２８Ｃから供給されたＤＲＭ情報データＤ３３に含まれる放送局名、番組名等をディスプレイ５に表示すると共に、ＤＡＢチューナ２３に対して、ＤＲＭ情報データＤ３３に含まれるＤＡＢの代替周波数に対応するＤＡＢ音声信号Ｓ３をオーディオプロセッサ２５へ送出させる。
【０１３２】
ここでカーオーディオ装置１のコントローラ２１は、オーディオプロセッサ２５に対して、ＤＲＭ音声信号Ｓ３４をパワーアンプ２６へ送出させ、ＤＡＢ音声信号Ｓ４を送出させないよう制御する。
【０１３３】
ステップＳＰ４３においてカーオーディオ装置１のコントローラ２１は、ＡＭ／ＦＭチューナ２８のＤＲＭデコーダ２８ＣからＤＲＭエラー信号ＥＳ２が供給されたか否かを判断し、否定結果が得られるとステップＳＰ４２へ戻って引き続き番組を出力する。
【０１３４】
これに対してステップＳＰ４３で肯定結果が得られると、このことは現在出力中の番組を放送する周波数のＤＲＭチャンネル信号Ｓ３１Ａが受信できていないことを表しており、このときカーオーディオ装置１のコントローラ２１は、次のステップＳＰ４４へ移る。
【０１３５】
ステップＳＰ４４においてカーオーディオ装置１のコントローラ２１は、出力切換命令信号をオーディオプロセッサ２５へ送出し、当該オーディオプロセッサ２５に対して、ＤＡＢチューナ２３から供給されたＤＡＢ音声信号Ｓ３に対して音声調節処理が施されたＤＡＢ音声信号Ｓ４をパワーアンプ２６へ送出させ、ステップＳＰ４２においてユーザに聴取させていたＤＲＭの番組と同一内容のＤＡＢの番組をスピーカ２７から出力させ、次のステップＳＰ４５へ移る。
【０１３６】
このときカーオーディオ装置１のコントローラ２１は、ＤＡＢチューナ２３から供給されるＤＡＢ情報データＤ２に含まれる放送局名、番組名等と、ＤＲＭバンド「ＤＲＭ１」から例えばＤＡＢバンド「ＤＡＢ１」へ切り換わった旨を示す「ＤＡＢ１」の文字とをディスプレイ５に表示する。
【０１３７】
ところでカーオーディオ装置１では、例えば現在聴取させている番組にユーザが飽きて、当該ユーザが異なる放送局で放送される他の番組を聴取するためにシークプラスボタン１４又はシークマイナスボタン１５を押下操作する場合が考えられる。
【０１３８】
そこでステップＳＰ４５においてカーオーディオ装置１のコントローラ２１は、シークプラスボタン１４又はシークマイナスボタン１５が押下操作されたか否かを判断し、否定結果が得られると再度ステップＳＰ４５へ戻り、シークプラスボタン１４又はシークマイナスボタン１５が押下操作されるまで待ち受けるのに対し、肯定結果が得られると次のステップＳＰ４６へ移る。
【０１３９】
ステップＳＰ４６においてカーオーディオ装置１のコントローラ２１は、ＤＡＢバンド「ＤＡＢ１」からＤＲＭバンド「ＤＲＭ１」へ放送バンドを強制的に戻し、ステップＳＰ４５においてシークプラスボタン１４が押下操作されていた場合には、ステップＳＰ４２において設定された周波数より高いＡＭ放送帯域で受信可能なＤＲＭの放送局を検索し、次のステップＳＰ４７へ移る。
【０１４０】
またカーオーディオ装置１のコントローラ２１は、ステップＳＰ４５においてシークマイナスボタン１５が押下操作された場合には、ステップＳＰ４２において設定された周波数より低いＡＭ放送帯域で受信可能なＤＲＭの放送局を検索し、次のステップＳＰ４７へ移る。
【０１４１】
ステップＳＰ４７においてカーオーディ装置１のコントローラ２１は、シークプラスボタン１４又はシークマイナスボタン１５の押下操作に応じて検索した放送局のＤＲＭ音声信号Ｓ３２をＡＭ／ＦＭチューナ２８により抽出させ、オーディオプロセッサ２５によりＤＲＭ音声信号Ｓ３２に対して音声調整処理が施されたＤＲＭ音声信号Ｓ３４に基づく番組の音声を、パワーアンプ２６及びスピーカ２７を介して出力することによりＤＲＭの番組をユーザに聴取させ、次のステップＳＰ４８へ移って処理を終了する。
【０１４２】
このようにカーオーディオ装置１のコントローラ２１は、上述したＤＡＢリンク機能におけるＤＲＭ復帰処理手順に従って、例えばＤＲＭバンド「ＤＲＭ１」において出力していた放送局のＤＲＭチャンネル信号Ｓ３１Ａが受信できなくなり、ＤＡＢリンク機能によりＤＡＢバンド「ＤＡＢ１」へ放送バンドを切り換えた場合、シークプラスボタン１４又はシークマイナスボタン１５が押下操作されたことを認識すると、ＤＡＢバンド「ＤＡＢ１」からＤＲＭバンド「ＤＲＭ１」へ強制的に放送バンドを復帰して、当該ＤＲＭバンド「ＤＲＭ１」における受信可能な放送局を検索し、当該検索した放送局により放送された番組を出力することにより、ＤＲＭの番組をユーザに聴取させることができる。
【０１４３】
さらに上述した実施の形態においては、ＦＭリンク機能によりＤＡＢバンド「ＤＡＢ１」からＦＭ放送バンド「ＦＭ１」へ自動的に切り換わるようにした場合について述べたが、本発明はこれに限らず、ＤＡＢバンド「ＤＡＢ１」からＦＭ放送バンド「ＦＭ２」又は「ＦＭ３」へ切り換るようにしても良い。
【０１４４】
さらに上述した実施の形態においては、ＦＭ放送バンド「ＦＭ１」において出力していた放送局のＦＭ放送チャンネル信号Ｓ１１Ａが受信できなくなり、ＦＭリンク機能によりＤＡＢバンド「ＤＡＢ１」へ放送バンドを切り換えた場合、聴取させていたＤＡＢの番組と同一内容のＦＭ放送の番組をスピーカ２７から出力するようにした場合について述べたが、本発明はこれに限らず、ＦＭ放送バンド「ＦＭ１」において出力していた放送局のＦＭ放送チャンネル信号Ｓ１１Ａが受信できなくなった場合、聴取させていたＤＡＢの番組とは異なるＦＭ放送の番組をスピーカ２７から出力するようにしても良い。
【０１４５】
さらに上述した実施の形態においては、ＤＲＭバンド「ＤＲＭ１」、「ＤＲＭ２」及び「ＤＲＭ３」を設けるようにした場合について述べたが、本発明はこれに限らず、例えばＡＭ放送バンド「ＡＭ１」及び「ＡＭ２」において、ＡＭ放送帯域で放送されるアナログ放送及びＤＲＭを混在して受信するようにすれば、ＤＲＭバンド「ＤＲＭ１」、「ＤＲＭ２」及び「ＤＲＭ３」を設けなくても良い。
【０１４６】
この場合、カーオーディオ装置１のコントローラ２１は、ＤＲＭリンク機能におけるＤＡＢ復帰処理手順において、ＤＡＢバンド「ＤＡＢ１」においてユーザ所望のＤＡＢの番組を聴取させている状態で、現在出力中の番組を放送する放送局のＤＡＢチャンネル信号Ｓ１Ａが受信できなくなった場合、放送バンドをＤＡＢバンド「ＤＡＢ１」からＡＭ放送バンド「ＡＭ１」へ切り換え、ＡＭ放送バンド「ＡＭ１」においてユーザに聴取させていたＤＡＢの番組と同一内容のＤＲＭの番組をスピーカ２７から出力させるようにすればよい。
【０１４７】
またカーオーディオ装置１のコントローラ２１は、ＤＡＢリンク機能におけるＤＲＭ復帰処理手順において、ＡＭ放送バンド「ＡＭ１」においてユーザ所望のＤＲＭの番組を聴取させている状態で、現在出力中の番組を放送する放送局のＤＲＭチャンネル信号Ｓ３１Ａが受信できなくなった場合、放送バンドをＡＭ放送バンド「ＡＭ１」からＤＡＢバンド「ＤＡＢ１」へ切り換え、ＤＡＢバンド「ＤＡＢ１」においてユーザに聴取させていたＤＲＭの番組と同一内容のＤＡＢの番組をスピーカ２７から出力させる。
【０１４８】
そしてカーオーディオ装置１のコントローラ２１は、シークプラスボタン１４又はシークマイナスボタン１５が押下操作されると、ＤＡＢバンド「ＤＡＢ１」からＡＭ放送バンド「ＡＭ１」へ放送バンドを強制的に戻し、シークプラスボタン１４又はシークマイナスボタン１５の押下操作に応じて検索した放送局のＤＲＭの番組をスピーカ２７から出力させるようにすればよい。
【０１４９】
さらに上述した実施の形態においては、カーオーディオ装置１のコントローラ３１が、予めＲＯＭに格納されているアプリケーションプログラムに従い、上述したルーチンＲＴ２のＦＭリンク機能におけるＤＡＢ復帰処理手順、ルーチンＲＴ３のＤＲＭリンク機能におけるＤＡＢ復帰処理手順、及びルーチンＲＴ４のＤＡＢリンク機能におけるＤＲＭ復帰処理手順を行うようにした場合について述べたが、本発明はこれに限らず、記憶媒体からインストールしたアプリケーションプログラムや、インターネットからダウンロードしたアプリケーションプログラム、その他種々のルートによってインストールしたアプリケーションプログラムに従って上述したＦＭリンク機能におけるＤＡＢ復帰処理手順、ＤＲＭリンク機能におけるＤＡＢ復帰処理手順、及びＤＡＢリンク機能におけるＤＲＭ復帰処理手順を行うようにしても良い。
【０１５０】
さらに上述した実施の形態においては、第１受信手段としてＤＡＢチューナ２３、第２受信手段としてＡＭ／ＦＭチューナ２８、切換手段としてオーディオプロセッサ２５、復帰手段としてコントローラ２１によって本発明のラジオ受信装置としてのカーオーディオ装置１を構成するようにした場合について述べたが、本発明はこれに限らず、この他種々の構成でなる第１受信手段、第２受信手段、切換手段、復帰手段によってラジオ受信装置を構成するようにしても良い。
【産業上の利用可能性】
【０１５１】
本発明のラジオ受信機及び出力切換処理手順は、例えばカーオーディオ装置以外にも、携帯型音楽プレーヤ、据置型ラジオ受信機等のその他種々に実装されたラジオ受信機及び出力切換処理手順に適用することができる。
【図面の簡単な説明】
【０１５２】
【図１】従来のＦＭリンク機能におけるＤＡＢ復帰処理手順の説明に供するフローチャートである。
【図２】カーオーディオ装置の全体構成を示す略線図である。
【図３】フロントパネルの構成を示す略線図である。
【図４】カーオーディオ装置の回路構成を示す略線図である。
【図５】ＦＭリンク機能におけるＤＡＢ復帰処理手順の説明に供するフローチャートである。
【図６】ＤＲＭリンク機能におけるＤＡＢ復帰処理手順の説明に供するフローチャートである。
【図７】ＤＡＢリンク機能におけるＤＲＭ復帰処理手順の説明に供するフローチャートである。
【符号の説明】
【０１５３】
１……カーオーディオ装置、２……本体部、３……フロントパネル、４……操作ボタン群、５……ディスプレイ、６……ディスプレイ支持板、７……ボタン配置板、８……ディスク挿入口、９……ディスク排出ボタン、１１……ソースボタン、１２……モードボタン、１３……ナンバーボタン群、１４……シークプラスボタン、１５……シークマイナスボタン、２１……コントローラ、２２……メモリ、２３……ＤＡＢチューナ、２４……ＤＡＢアンテナ、２５……オーディオプロセッサ、２６……パワーアンプ、２７……スピーカ、２８……ＡＭ／ＦＭチューナ、２９……ＡＭ／ＦＭアンテナ。
【図１】
0004840378.tif 000002
【図２】
0004840378.tif 000003
【図３】
0004840378.tif 000004
【図４】
0004840378.tif 000005
【図５】
0004840378.tif 000006
【図６】
0004840378.tif 000007
【図７】
0004840378.tif 000008